(57)【要約】【課題】山葵やイチゴ等の水耕栽培に用いられ、形状が簡単で、構造的に強度を高くした、かつ、植物の植え付け方向をほぼ水平にし、水耕栽培の養水を自然流下、または滴下して灌水できる構造を採用することにより、多段多列の立体的水耕栽培設備に適した水耕栽培容器を提供する。【解決手段】  外形が略長方形の升状に形成した容器であって、底面に複数の排水穴若しくは排水用の切欠きを形成し、また、少なくとも１つの、長手方向に全長にわたり複数のスリットを有する植物根栽培筒を正面側板上部から斜め下方に傾斜して相対する側板に向けて延在して着脱自在に設け、また、前記植物根栽培筒の複数本が断面方向に千鳥状又は升目状に、かつ、相互に略平行に配設したことを特徴とする。【選択図】図１
0003128164.tif 000002
【実用新案登録請求の範囲】
【請求項１】
外形が略長方形の升状に形成した容器であって、底面に複数の排水穴若しくは排水用の切欠きを形成し、また、少なくとも１つの、長手方向に全長にわたり複数のスリットを有する植物根栽培筒を正面側板上部から斜め下方に傾斜して相対する側板に向けて延在して着脱自在に設けたことを特徴とする水耕栽培容器。
【請求項２】
前記植物根栽培筒の複数本が断面方向に千鳥状又は升目状に、かつ、相互に略平行に配設したことを特徴とする請求項ｌに記載の水耕栽培容器。
【請求項３】
請求項ｌ又は２に記載の容器内に前記植物根栽培筒を含め又は除いた部分に培地を収納したことを特徴とする水耕栽培容器。
【請求項４】
外形が略長方形の升状に形成した容器であって、底面に複数の排水穴若しくは排水用の切欠きを形成し、また、少なくとも１つの、植物根部を内部に挿入する植物挿入孔を正面側板に設けたことを特徴とする水耕栽培容器。
【請求項５】
前記植物挿入孔の複数個が前記正面側板上に千鳥状又は升目状に配設したことを特徴とする請求項４に記載の水耕栽培容器。
【請求項６】
前記植物挿入孔に周縁部が曲面を有するスポンジ状のリングを着脱自在に嵌め込み設けたことを特徴とする請求項４又は５に記載の水耕栽培容器。
【請求項７】
前記容器及び前記植物根栽培筒が光透過性の合成樹脂製であることを特徴とする請求項１乃至６のいずれかに記載の水耕栽培容器。
【考案の詳細な説明】
【技術分野】
【０００１】
本考案は、山葵やイチゴ等の水耕栽培に用いられ、立体的水耕栽培設備に供せられる水耕栽培容器に関するものである。
【背景技術】
【０００２】
従来、山葵は山間地の清水が流れている場所において、礫でもって形成した山葵田で栽培されているものであったが、近年では人工的に礫などの培地を収納した容器内に山葵苗を植え付け、その根部に人工的に養分を調整した養水を流通させて栽培する、いわゆる一種の水耕栽培が行われている。その一つに、複数の栽培槽を順次低くなるように配置し、これらの栽培槽内に底面と側面に通水孔を設けた栽培容器を収納して、容器内に植えつけた山葵苗を流水で育成する栽培装置が先行技術として開示されている。（特許文献１参照）
【０００３】
また、水耕栽培としては、栽培装置内で、作物の根部を養水の流水中に曝して栽培するイチゴ、トマト等がよく知られている。その一つで、イチゴのような果実が実る作物を栽培する水耕栽培用ベッドとして、外形が長方形状で内部に排水用の傾斜勾配を有する培地収容部を設け、かつ、複数の排水孔を設けたものが開示されている。（特許文献２参照）
【特許文献１】特開平１１−１５１０４９号公報（〔００１９〕、〔００２９〕、図３、図４）
【特許文献２】特開２００３−２３８８６公報（〔０００７〕、〔００１６〕、図１、図５）
【考案の開示】
【考案が解決しようとする課題】
【０００４】
しかし、これらの水耕栽培装置や水耕栽培用ベッドは、平面的に展開して設置されるもので、土地面積の有効利用の観点から問題があり、また、水耕栽培における作業性も必ずしも良好とは言えないものであった。本考案は、上記の問題点を解消するために為したものであって、その目的は、山葵やイチゴ等の水耕栽培に用いられ、多段多列の立体的水耕栽培設備に適した水耕栽培容器であって、形状が簡単であり、かつ、構造的に強度を高くでき、しかも、植物の植え付け方向をほぼ水平にし、水耕栽培の養水を自然流下又は滴下して灌水できる構造を採用することにより、多段多列に容器を積み上げることを可能にし、また、植物の植え付け、実の採取、入れ替え等の栽培作業性を良好にし、また、栽培において害虫や有害作物の混入を防止できる水耕栽培容器を提供するものである。
【課題を解決するための手段】
【０００５】
本考案（請求項ｌ）に係る水耕栽培容器は、外形が略長方形の升状に形成した容器であって、底面に複数の排水穴若しくは排水用の切欠きを形成し、また、少なくとも１つの、長手方向に全長にわたり複数のスリットを有する植物根栽培筒を正面側板上部から斜め下方に傾斜して相対する側板に向けて延在して着脱自在に設けたことを特徴とする。また、請求項２に係る水耕栽培容器は、請求項ｌに記載の水耕栽培容器において、前記植物根栽培筒の複数本が断面方向に千鳥状又は升目状に、かつ、相互に略平行に配設したことを特徴とする。また、請求項３に係る水耕栽培容器は、請求項ｌ又は２に記載の水耕栽培容器において、前記容器内に前記植物根栽培筒を含め又は除いた部分に培地を収納したことを特徴とする。
【０００６】
本考案によれば、山葵のような植物根部を植物根栽培筒に収納し、その植物根栽培筒を容器に対して側面上部の穴から斜め下方に挿入し、そして容器上方から流下又は滴下する養水に根部を接触させて養分や酸素分等を与えて、植物を育成して栽培することができる。また、植物根栽培筒を容器内に斜め下方に延在して設けているから、植物根栽培筒の長さを容器の奥行きに対して最も有効に取ることができ、容器の平面的な寸法に無駄なく小さくできる。また、容器の垂直断面方向に対して、前記植物根栽培筒を千鳥状又は升目状に、かつ、相互に略平行に配設することにより、その容器上方から流下又は滴下する養水に効率よく灌水させることができ、容器内の立体空間を十分活用できる。この場合に、容器内に培地が有れば千鳥状又は升目状に、無ければ千鳥状が灌水の点でよい。また、植物根栽培筒が側板の挿入孔に対して着脱自在に設けられているので、植物の育成状況を見ながら植物根栽培筒を挿入したり又は取出したりすることが可能となる。また、容器の底面に複数の排水穴若しくは排水用の切欠きを形成しているが、この設置の数、形状及び大きさは、容器内に養水を溜めるか、容器内にある培地中の養水の流れ、又は容器を積み上げた時の下の容器への給水の仕方等によって決まってくる。また、本考案の水耕栽培容器を複数個多段多列のラックに対して挿入又は取り出し可能にすることにより立体的に水耕栽培容器を配設して、設置面積当たりの栽培量を増加させることもできる。
【０００７】
また、本考案（請求項４）に係る水耕栽培容器は、外形が略長方形の升状に形成した容器であって、底面に複数の排水穴若しくは排水用の切欠きを形成し、また、少なくとも１つの、植物根部を内部に挿入する植物挿入孔を正面側板に設けたことを特徴とする。また、請求項５に係る水耕栽培容器は、請求項４に記載の水耕栽培容器において、前記植物挿入孔の複数個が前記正面側板上に千鳥状又は升目状に配設したことを特徴とする。また、請求項６に係る水耕栽培容器は、請求項４又は５に記載の水耕栽培容器において、  前記植物挿入孔に周縁部が曲面を有するスポンジ状のリングを着脱自在に嵌め込み設けたことを特徴とする。
【０００８】
本考案によれば、イチゴのような作物の根部を側面の穴からほぼ水平方向に挿入した容器に対して、その容器上方から流下又は滴下する養水に根部を接触させて養分や酸素分等を与えて、植物を育成して栽培することができる。また、容器の垂直断面方向に対して、前記植物を千鳥状又は升目状に配設することにより、その容器上方から流下又は滴下する養水に効率よく灌水させることができ、容器内の立体空間を十分活用できる。この場合に、容器内に培地が有れば千鳥状又は升目状に、無ければ千鳥状が灌水の点でよい。また、容器の底面に複数の排水穴若しくは排水用の切欠きを形成しているが、この設置の数、形状及び大きさは、容器内に養水を溜めるか、容器内にある培地中の養水の流れ、又は容器を積み上げた時の下の容器への給水の仕方等によって決まってくる。また、植物挿入孔の周縁部に曲面を有するスポンジ状のリングを嵌め込み設けたことにより、挿入時に作物の茎、根等を損傷することなく、又は結実の時に茎等を傷めることがない。また、本考案の水耕栽培容器を複数個多段多列のラックに対して挿入又は取り出し可能にすることにより立体的に水耕栽培容器を構築して、設置面積当たりの栽培量を増加させることもできる。
【０００９】
また、本考案（請求項７）に係る水耕栽培容器は、請求項１から６のいずれかに記載の水耕栽培容器において、前記容器及び植物栽培筒が光透過性の合成樹脂製であることを特徴とする。本考案によれば、水耕栽培容器が合成樹脂製であるから、軽量で、寸法精度のよい、しかも、強度の高い容器が提供できる。また、水耕栽培容器を直接積み上げた時も容器が潰れたり、変形することがない。また、光透過性があるから、容器内への日照を確保することが可能で、また、調節することも十分可能である。また、容器内の状態、即ち、植物の育成状況、培地の状況、養水の灌水状況等が観察できるから、これらを調節する栽培作業が容易に行える。  
【考案の効果】
【００１０】
本考案の請求項１乃至３に係る水耕栽培容器は、形状が直方体と円筒の組合せで簡単で、強度的にも強く、また構成部品も容器と植物根栽培筒だけであるから製作が容易であり、経済的である。また、水耕栽培容器に供給される養水が確実に植物根栽培筒内に灌水できる構造であるから、植物の栽培条件を適正化でき、育成する植物の品質及び生産性の向上を図ることができる。また、植物根栽培筒を着脱自在に設置しているので、山葵等の植物の成品から苗への入れ替え、植物の育成状況の把握や培地部の保守、保全も容易にできる。また、水耕栽培容器を地面に接していない空間に配設できるから、地面からの害虫、病原菌による被害も少なくできる。
【００１１】
また、本考案の請求項４乃至６に係る水耕栽培容器は、形状が直方体で簡単で、強度的にも強く、また構成部品も容器だけであるから製作が容易であり、経済的である。また、水耕栽培容器に供給される養水が確実に植物根部に灌水できる構造であるから、植物の栽培条件を適正化でき、育成する植物の品質及び生産性の向上を図ることができる。また、挿入孔を水平に設けているので、イチゴ等の植物の成品から苗への入れ替え、植物の育成状況の把握や培地部の保守、保全も容易にできる。また、水耕栽培容器を地面に接していない空間に配設できるから、地面からの害虫、病原菌による被害も少なくできる。また、請求項７に係わる水耕栽培容器は、光透過性の合成樹脂製であるから、軽量で、強度の高いものが製作できるし、寸法精度のよいものを大量生産することも可能である。また、水耕栽培容器内への日照等の光照射条件の適正化や容器内部の観察が容易に行え、栽培作業の効率化が図られる。また、本考案に係る水耕栽培容器は、複数段及び複数列として立体的に積み上げて集合体とすることが可能で、設置面積に対して栽培生産規模を大きくすることができる。
【考案を実施するための最良の形態】
【００１２】
以下、本考案の実施するための最良の形態を図面に基づいて説明する。図１は、本考案の実施するための最良の形態に係る水耕栽培容器の模式的全体斜視図である。図２は、図１の水耕栽培容器であって、（ａ）は正面図、（ｂ）は底面図、（ｃ）はＡ−Ａ線断面図、（ｄ）は挿入筒の斜視図である。図３は、本考案の実施するための最良の形態に係る別の作物栽培装置の模式的全体斜視図である。図４は、図３の水耕栽培容器であって、（ａ）は正面図、（ｂ）は底面図、（ｃ）はＡ−Ａ線断面図である。図５は、本考案の実施するための最良の形態に係る水耕栽培容器を用いた水耕栽培容器群の模式的全体斜視図である。図６は、本考案の実施するための最良の形態に係る別の水耕栽培容器を用いた水耕栽培容器群の模式的全体斜視図である。
【００１３】
本考案の実施するための最良の形態に係る水耕栽培容器ｌについて図ｌ、２、５に基づいて説明すると、水耕栽培容器ｌは、金属製の底板４と、合成樹脂製の正面側板２、側板５，５と背側板６を前記底板４の四隅から立ち上げた金属製の二重の枠３に挟み込んで容器が構成される。各合成樹脂製の側板４，５，５，６と枠３との接着は接着剤を用いるか、シール材（図示しない）を介してネジ止めにするか任意に行うことができる。前記合成樹脂板には、通常約５ｍｍ厚のアクリル板かポリカーボネート板が軽量で、強度が高く、透明性があり、また被接着性もあり好適である。また、これらの側板４，５，５，６は合成樹脂製に限定することなく、透明性は犠牲になるが金属板を用いることも可能である。また、容器の製作は枠３を用いずに合成樹脂板を相互に接着剤にて接着することにより、容器の側板４，５，５，６を一体に形成することも可能である。
【００１４】
また、容器内部には、山葵２０等の植物根２１を収納して栽培する植物根栽培筒７を３本、夫々を正面側板２上部にある３ヵ所の千鳥状に配置された挿入孔２−１から斜め下方に向け、傾斜角約４５°で相対する背側面板６に当接するように挿入される。植物根栽培筒７の直径は栽培する植物により異なるが、通常６〜１２ｃｍ程度の範囲である。植物根栽培筒７の端部には、図２ｄに示すように、鍔部７−２が設けられており、その鍔部７−２が正面側板２に当接して植物根栽培筒７が挿入された時に、その挿入姿勢を確実に保持することができる。また、植物根栽培筒７の外周面には、複数のスリット７−１を長手方向に略全長にわたり設けている。このスリット７−１は上方から流下又は滴下してくる養水を植物根栽培筒７内部に導入し、植物根２１に灌水し養分等を供給する。また、植物根栽培筒７内部の植物根２１から派生する根毛をスリット７−１から外へ導き養分等を吸収することも可能である。こうした状況を踏まえてスリット数を決めるが、通常６〜１０条である。また、植物根栽培筒７の挿入傾斜角は３０〜６０°の範囲であり、養水との灌水の程度や容器の奥行きと高さとの観点から決められるが、通常は４５°前後が好適である。植物根栽培筒７は合成樹脂、合成ゴム又は金属を用いて製作し得るが、日照や育成状況の観察の観点から合成樹脂を用いるのがよい。また、合成ゴムの場合は、根部の成長に伴う膨大に対して対応することができる。また、植物根栽培筒７の断面は、円筒形状が製作面で容易であり好ましいが、長円形状又は多角形状でもよい。また、このスリット７−１の形状は、長方形、円形又は長円形のいずれでもよいが、製作面からは長方形が望ましい。
【００１５】
また、容器の底板４には、上方から供給される養水の排水のために、図２ｂに示すように、複数の円形の排水孔４−１が設けられる。この排水孔４−１の形状は円形に限定することなく、例えば、長円形又は放射状の長方形の切欠きを設けてもよい。この排水穴４−１の形状、大きさ、個数及び分布は、容器内を通過する養水が植物根栽培筒７に対する流下又は滴下のパターン、即ち、植物根栽培筒７に対する灌水の仕方により決められる。また、後述する水耕栽培容器１を複数個積み上げて構築する場合には、この排水穴４−１の大きさ、個数及び分布が下段の水耕栽培容器１に対する養水の供給する分布を決めることにもなる。また、底板４は、排水穴４−１を形成する穿孔加工及び枠３を直立して形成する点から金属製が望ましいが、これに限定されること無く合成樹脂板でも製作可能である。
【００１６】
また、水耕栽培容器１において、容器内に植物根栽培筒７も含め、又は、植物根栽培筒７の部分を除いて、礫、小石、バーミキュライト、軽石、砂利又は珪藻土などの培地を収納することができる。これらの培地の選択は、養水の保水や養水の灌水、通水等の状況を勘案して行われる。培地に使用する粒度は通常２〜１０ｍｍ程度の範囲である。図５の山葵栽培の場合は、植物根栽培筒７内には培地無しに、その他の部分を３〜５ｍｍ程度の軽石の礫で充填した実施例を示す。また、図５には、本考案に係わる水耕栽培容器１を二段直接積み上げた形態を示しているが、水耕栽培容器１を夫々上下及び左右に積み上げ、かつ、組み合わせることで水耕栽培容器１の集合体を形成することができる。
【００１７】
また、図５には、本考案に係わる水耕栽培容器１を二段直接積み上げて、山葵２０を栽培する実施例を示しているが、山葵２０を栽培する水耕栽培容器１の使用について説明すると、幅３０ｃｍ、奥行き２５ｃｍ、高さ４５ｃｍの水耕栽培容器１を用いて、山葵２０の苗の根部２１を幅１ｃｍのスリット６条を設けた内径８ｃｍの植物根栽培筒７内に収納して、容器内に傾斜角４５°でもって下向きに挿入孔２−１から挿入し、次いで容器内を３〜５ｍｍ程度の軽石の礫２３で充填する。これら二段の水耕栽培容器１を台（図示しない）上に設置し、水耕栽培容器１の上部から養水を灌水して礫層２３に通水し、根部２１に養分や溶存酸素を与えて育成する。上段の水耕栽培容器１を灌水した養水は底板４の排水穴４−１から流出して、下段の水耕栽培容器１に灌水する。また、養水は山葵２０の栽培に必要な養分、温度、溶存酸素、ＰＨ等を調節して供給するために循環して用いるのが望ましい。
【００１８】
また、水耕栽培容器１では、植物根栽培筒７内で栽培されている山葵２０は水平方向又は水平より上向きの方向に山葵２０の葉が延びるから日光や人工光の照射はこれを考慮する必要が有る。例えば、ＬＥＤを使った人工光の場合には横方向から照射することが重要となる。さらに、水耕栽培容器１が屋内設置であれば、日光、人工光等の照射条件を適切に調節することができると共に、雰囲気温度や水温の調整が安定して行えるので、山葵２０の生産性を向上しやすい。このようにして水耕栽培容器１を用いて、山葵２０の苗から約１０ｃｍ長さの根茎２１を５〜８ヶ月で栽培することができる。また、栽培が終了した山葵２０は、植物根栽培筒７を正面側板２の挿入孔２−１から取り外すことにより山葵２０を取り入れ、その後山葵２０の苗を植物根栽培筒７に植え付けて再挿入するか、又は予備の山葵２０の苗を植え付けた植物根栽培筒７を挿入して山葵栽培を繰り返すことができる。
【００１９】
本考案の実施するための最良の形態に係る別の水耕栽培容器ｌ１について図３、４、６に基づいて水耕栽培容器ｌと異なる部分について説明すると、本水耕栽培容器１１はイチゴ等の果実を容器外で結実する植物の栽培に用いられ、水耕栽培容器ｌ１は、金属製の底板１４と、合成樹脂製の正面側板１２、側板１５，１５と背側板１６を前記底板１４の四隅から立ち上げた金属製の二重の枠１３に挟み込んで容器が構成される。各合成樹脂製の側板１４，１５，１５，１６と枠１３との接着は接着剤を用いるか、シール材（図示しない）を介してネジ止めにするか任意に行うことができる。前記合成樹脂板には、通常約５ｍｍ厚のアクリル板かポリカーボネート板が軽量で、強度が高く、透明性があり、また被接着性もあり好適である。また、これらの側板１４，１５，１５，１６は合成樹脂製に限定することなく、透明性は犠牲になるが金属板を用いることも可能である。また、容器の製作は枠１３を用いずに合成樹脂板を相互に接着剤にて接着することにより、容器の側板１４，１５，１５，１６を一体に形成することも可能である。この水耕栽培容器１１の大きさは、幅が２５〜３５ｃｍ、奥行き２０〜３０ｃｍ、高さ２５〜３５ｃｍ程度である。  
【００２０】
また、正面側板１２には、イチゴ３０等の植物根３１を容器内部へ収納して栽培するための植物根３１の挿入孔１２−１を３箇所千鳥状に配設している。挿入孔１２−１の直径は栽培する植物により異なるが、通常４〜１０ｃｍ程度の範囲である。挿入孔１２−１周円部には、図４ａ、ｃに示すように、着脱自在の支持リング１７が設けられており、挿入された植物根３１を支持することにより植物の全体の姿勢を保持する。また、支持リング１７は容器内から灌水された養水の漏れを防止する。これは漏れた養水がイチゴ３０の葉に掛かると枯れることも防止している。支持リング１７は支持する植物の茎等を傷めず、水漏れを防止する点から弾力性のあるスポンジ状の合成樹脂の発泡材で製作されるのが望ましい。
【００２１】
また、容器の底板１４には、上方から供給される養水の排水のために、図４ｂに示すように、複数の円形の排水孔１４−１が設けられる。この排水孔１４−１の形状は円形に限定することなく、例えば、長円形又は放射状の長方形の切欠きを設けてもよい。この排水穴１４−１の形状、大きさ、個数及び分布は、容器内を通過する養水が挿入孔１２−１から挿入された植物根３１に対する流下又は滴下のパターン、即ち、植物根３１に対する灌水の仕方により決められる。また、後述する水耕栽培容器１１を複数個積み上げて構築する場合には、この排水穴１４−１の大きさ、個数及び分布が下段の水耕栽培容器１１に対する養水の供給する分布を決めることにもなる。また、底板１４は、排水穴１４−１を形成する穿孔加工及び枠１３を直立して形成する点から金属製が望ましいが、これに限定されること無く合成樹脂板でも製作可能である。
【００２２】
また、水耕栽培容器１１において、容器内に礫、小石、バーミキュライト、軽石、砂利又は珪藻土などの培地を収納することができる。これらの培地の種類や粒度の選択は、栽培する植物に依存し、培地の有無を含め、養水の保水や養水の灌水、通水等の状況を勘案して行われる。培地を使用する場合の粒度は通常２〜１０ｍｍ程度の範囲である。図６のイチゴ栽培の場合は、容器内には培地としてグラスウールを詰めた実施例を示している。
【００２３】
また、図６には、本考案に係わる水耕栽培容器１１を二段直接積み上げて、イチゴ３０を栽培する実施例を示しているが、イチゴ３０を栽培する水耕栽培容器１１の使用について説明すると、幅３０ｃｍ、奥行き２５ｃｍ、高さ３０ｃｍの水耕栽培容器１１を用いて、イチゴ３０の苗の根部３１をスポンジ状の苗固定器に植え込んだものを、内径６ｃｍの挿入孔１２−１から容器内に挿入する。この場合は容器内に培地としてグラスウールを装入している。これら二段の水耕栽培容器１１を台（図示しない）上に設置し、水耕栽培容器１１の上部から養水を灌水して、イチゴ３０の根部３１に養分や溶存酸素を与えて育成する。上段の水耕栽培容器１１を灌水した養水は底板１４の排水穴１４−１から流出して、下段の水耕栽培容器１１に灌水する。また、養水はイチゴ３０の栽培に必要な養分、温度、溶存酸素、ＰＨ等を調節して供給するために循環して用いるのが望ましい。
【００２４】
本考案による水耕栽培容器１１によれば、イチゴ３０の苗を植え付ける時に、根３１を挿入孔１２−１から容器内に向け、葉や実の成る本体を容器の外側にすると管理しやすいし、収穫作業も楽である。また、水耕栽培容器１１は葉や実の成る側を日の当たる方へ設置するのがよく、イチゴ３０の葉や実の生育のためにもよい。この場合に、挿入孔１２−１の配列を千鳥状にするか、升目状にするかは、栽培状況に合わせて適切に選択することができる。図６に示すように、イチゴ栽培において、実を付けた茎が支持リング１７から外へ張出しても、茎が折れないからイチゴ３０の実を確実な姿で収穫できる。また、水耕栽培容器１１は地面から隔離されて設置されるので、地面からのなめくじ等の害虫や病原菌に冒されることがない。
【産業上の利用可能性】
【００２５】
作物をはじめ植物の水耕栽培において、本考案に係わる水耕栽培容器を好適に利用できる。
【図面の簡単な説明】
【００２６】
【図１】本考案の実施するための最良の形態に係る水耕栽培容器の模式的全体斜視図である。
【図２】図１の水耕栽培容器であって、（ａ）は正面図、（ｂ）は底面図、（ｃ）はＡ−Ａ線断面図、（ｄ）は挿入筒の斜視図である。
【図３】本考案の実施するための最良の形態に係る別の作物栽培装置の模式的全体斜視図である。
【図４】図３の水耕栽培容器であって、（ａ）は正面図、（ｂ）は底面図、（ｃ）はＡ−Ａ線断面図である。
【図５】本考案の実施するための最良の形態に係る水耕栽培容器を用いた水耕栽培容器群の模式的全体斜視図である。
【図６】本考案の実施するための最良の形態に係る別の水耕栽培容器を用いた水耕栽培容器群の模式的全体斜視図である。
【符号の説明】
【００２７】
１：水耕栽培容器        ２：正面側板        ２−１：挿入孔    ３：枠              ４：底板          ４−１：排水穴      ５：側面板      ６：背側面板 
７：栽培筒      ７−１：スリット    ７−２：鍔部  
１１：水耕栽培容器        １２：正面側板          １２−１：挿入孔              １３：枠            １４：底板          １４−１：排水穴      １５：側面板      １６：背側面板      １７：支持リング
２０：山葵          ２１：根            ２３： 礫石
３０：イチゴ        ３１：根    
α：傾斜角      
【図１】
0003128164.tif 000003
【図２】
0003128164.tif 000004
【図３】
0003128164.tif 000005
【図４】
0003128164.tif 000006
【図５】
0003128164.tif 000007
【図６】
0003128164.tif 000008